【手続補正書】
【提出日】平成19年3月23日(2007.3.23)
【手続補正１】
【補正対象書類名】明細書
【補正対象項目名】全文
【補正方法】変更
【補正の内容】
【書類名】      明細書【発明の名称】ル−トボ−ル競技施設【特許請求の範囲】【請求項１】  競技者がボールを打ち始める箇所に配置されるスタートグラウンドと、前記スタートグラウンドから離れた位置に配置され、かつ競技者がボールを入れるホールを備えたゴールグラウンドとを有し、前記スタートグラウンドから前記ゴールグラウンドに至るホールの進行経路が予め定められてあり、前記進行経路の途中にホールを通過させるゲートを配設したことを特徴とするル−トボ−ル競技施設。【請求項２】  ２本の棒状のものを一対として左右対称に地表面に垂直に建て、その間をボールを通過させることを特徴とする請求項１に記載のゲート。【請求項３】  合成ゴム等を主材とし、弾力性を重視した安全性の大きい構造とした球状のボールで請求項１記載の用に供するボール。【請求項４】  請求項１記載の競技施設で使用する請求項３に記載のボールを打つ打器。【発明の詳細な説明】【０００１】【発明の属する技術分野】  本発明は、競技者がボールを打ち始める箇所に配置されるスタートグラウンド（Ｓｇ）と、前記スタートグラウンドから離れた位置に配置されかつ競技者がボールを入れるホール（Ｈ）を備えたゴールグラウンド（ｇｇ）とを有し前記スタートグラウンドから前記ゴールグラウンドに至るボールの進行経路が予め定められており前記進行経路の途中にボールを通過させるゲート（ＩＧ１、ＩＩＧ１、ＩＩＩＧ１等）を配設したことを特徴とするゲートゴルフ競技施設であり、競技者がスタートグラウンド（Ｓｇ）の競技開始地点（ＳＬ）からボールを打ち始め途中ゲートグラウンド（Ｇｇ）の規定のゲート（ＩＧ１、ＩＩＧ１、ＩＩＩＧ１等）を通過して、ゴールグラウンド（ｇｇ）上に、配置してあるホール（Ｈ）にボールを入れることで、１コースの上がりとしその実打数とゲート通過の得点を打数で計算し、合計、打数の大小で競技の順位（最も少ない打数の者が勝者となる。）を競うようにしたル−トボ−ル競技施設に関する。【０００２】【従来の技術】  例えば従来のゴルフ競技はティーグラウンドからボールを打ち始め途中フェアーウエイ等を経由しグリーンに設置したホールにボールを入れることで、１ホールの上りとしその打数を記録してゆき標準では１８ホールを競い、その打数の合計が、少ない順位に勝者を決定する方法が一般的である。そして、競技の技術の目安としてコースの総打数の数値（パーと称す）を設定しておき個々のプレーヤーは自己の打数との比較で、技量の程度を採点出来るようにした主に個人競技として親しまれている。【０００３】  例えば従来のゲートボールは広さがタテ１５ｍ以上２０ｍ以下、横２０ｍ以上２５ｍ以下のグラウンドで紅白２チームの対抗戦により赤い玉と白い玉を打ち分けて３つのゲートを通過しゴールポールに当てることで上りになり先に上ったチームが勝ちとなる団体競技になっている。【０００４】【発明が解決しようとする課題】  今日ゴルフ愛好家は大変多く上流階級の娯楽としての昔日のイメージはなくなり中流階級のスポーツとして普及して  いる  がまだ一般大衆や高齢者が親しめるまでには至ってない。その理由として  （イ）、ゴルフ場は施設の建設に広大な敷地を必要とするので都心及び居住地域より遠隔地��位置することが多く交通に時間を要し、施設の用地取得費や建設コストも大きくなる為に競技に掛る  諸費用も割高となり時間と経済的理由で手軽に楽しむという状況には至ってない。  （ロ）、ゴルフは飛距離を延ばすことが有利となる要素があり、体力と高度な技術力を必要とする競技でもありコースも広大で競技者が競技中に歩く距離は大きく運動量も多くなり体力の弱い者には身体の負担が大きくなり、特に高齢者等には不利で気軽には出来ないスポーツである。  （ハ）、ゲートボールは団体競技で最低１チームが５人以上の２チームからなる対抗戦であり審判員等を含めて最低１３人の人数が揃わないと始められないので友人や知人と数人で気軽に楽しむことは出来ない。  競技の時間は１ゲーム３０分間と決められており終了時間が近ずくと、残り時間のコールがあり形成不利な試合の時は心落ち着かない、又試合中に、競技する人は順番に一人づつであり、他のプレーヤーは見学している時間が多くなり、歩く距離も少なく適度の運動量の確保には至らない。  体力差によるハンディキャップの少ない競技であるが、一般的に高齢者のスポーツとしてのイメージが強く、高齢者の中には精神的な面や運動量の面で物足りなさを感じている人もいる。  （ニ）、ゲートボールは個人の成績が表示記録されないので自己の技量に対する向上心を養うことが難しい面がある。そこで本発明は、少ない時間と少ない費用で競技が楽しめ、体力や高度の技術よりも高齢者や初心者にも容易に修得出来るような難易度の低い簡単な技術に比重を置いた競技の方法とルールを取り入れて、適量の歩行距離と適度の運動量を得ることが出来、健康の維持増進に役立つ例えばゴルフとゲートボールの長所を合わせ持つ競技施設を提供するにある。【０００５】【課題を解決するための手段】  上記の目的を達成する為に本発明のル−トボ−ル競技施設は全体の規模を敷地面積で従来の標準のゴルフ場の５分の１程度とし各コースの距離は同３分の１程度とすることにより敷地面積が少なくて済み、比較的都心に近くて居住地域の近隣に建設用地を求めることが出来るので交通の利便性も良く敷地の取得費や競技施設の建設費も少なくできる為に、運営に掛かる諸経費も少なくて済むので、競技者は、少い時間と少ない費用で、競技を楽しむことが出来る。【０００６】  上記の施設は、スタートグラウンド（Ｓｇ）とホール（Ｈ）を設置したゴールグラウンド（ｇｇ）の中間に位置するゲートを設置したゲートグラウンド（Ｇｇ）によって構成される、全てのゲートグラウンドには数ルートに距離に応じて数ヶ所のゲート（ＩＧ１、ＩＩＧ１、ＩＩＩＧ１等）を設置する。ゲートグラウンドには砂場、池、川、小山、起伏、樹木等の障害物（Ｏ）を設けゲームに変化を与える構成としている。  各コースの距離は従来の標準のゴルフコースの３分の１程度とし、種別は距離の長短による３種類程度とする。一例として各コースの呼称と距離の基準との関係は次のとおりにするとよい。スタートグラウンド（Ｓｇ）の競技開始地点（ＳＬ）からゴールグラウンド（ｇｇ）のホール（Ｈ）の中心までの距離をショートコースにあっては９０ヤード以下、ミドルコースにあっては９１ヤード以上１７０ヤード以下、ロングコースにあっては１７１ヤ��ド以上とし、基本となる１ゲーム１８コースの全体構成は、ショートコース４ヶ所、ミドルコース１０ヶ所、ロングコース４ヶ所とする。【０００７】  １チームの基準は、３人〜６人程度とすることで数人の仲間で、気軽にプレイ出来るようになっている。又競技場に於いてチームを結成する事により１人でも参加することが出来る主として個人単位の競技である。競技の結果は、個々の成績が記録され残るので競技者は自己の技術目標をより高く持つことで、人間が本来持っている向上心を養う事が出来る。【０００８】  本発明のル−トボ−ル競技施設は体力や高度な技術よりも難度の低い簡単な技術力に比重を置いた競技方法と、ルールを取り入れて老若男女の体力差による影響の少ない構成となっている。【０００９】【発明の実施の形態】  競技者がスタートグラウンド（Ｓｇ）の競技開始地点（ＳＬ）より打ち始めたボールは、ゲートグラウンドの数ルートの中から選択した一つのルートのゲート（ＩＧ１、ＩＧ２、ＩＧ３等）を全て通過することを基本としそれぞれのゲートを通過する事によりそのゲートに定められた得点を得ながらゴールグラウンド（ｇｇ）のホール（Ｈ）にボールを入れることで１コースの上りとなる。順次競技を進め１８コース終了を１ゲームとしゲート通過の得点は打数で計算し実打数と合計した数値が最小の競技者が勝者となり順次数値の少ない順に順位を決定する様にした競技施設となっている。  ゲート通過の得点は、成績に大きな比重を占めることになりホール入れの技術と共に大切となるので、本発明のル−トボ−ル競技施設はホール入れと、ゲート通過の２種類の技術の要素が合わされた競技施設となる。成績の記録は打数として一本化表示されるので個々の順位が一目でわかるように構成されている。【００１０】  ゲート通過の得点は各ゲートのボール通過の難易度を基準に決定する。一例としてー１打、０打、＋１打、＋２打等である。パスは＋２打とする。【００１１】【実施例】  以下に図面を参照しながら本発明の実施例について説明する。  この実施例のル−トボ−ル競技用施設は基本的には屋外に設けられるもので、図４は前記競技施設の概略平面図である。この実施例に示したように、１番から１８番迄の１８のコースを備えている。１コースから１８コースの内訳は距離を基準としてショートコース４ヶ所、ミドルコース１０ヶ所、ロングコース４ヶ所の比率で構成されている。  各コースは始端地点のスタートグラウンド（Ｓｇ）に設けられた競技開始地点（ＳＬ）から終端地点のゴールグラウンド（ｇｇ）に設置されたホール（Ｈ）までの距離をショートコース９０ヤード以下、ミドルコース９１ヤード以上、１７０ヤード以下、ロングコース１７１ヤード以上と設定している。１ゲームの基本は１８コースとするが、９コースのハーフコース、全部がショートコース９コースのショートコース等多種類のコースを設定することができる。【００１２】  図１（ａ）〜（ｃ）のスタートグラウンド（Ｓｇ）に、競技開始地点（ＳＬ）を設ける、ゴールグラウンド（ｇｇ）上に、ホール（Ｈ）を設置する。ゲートグラウンド（Ｇｇ）には、基本としてショートコースには３ルート各１ヶ所のゲート（ＩＧ１、ＩＩＧ１、ＩＩＩＧ１）３ヶ所を設置する。ミド��コースには３ルート、各２ヶ所のゲート（ＩＧ１、ＩＧ２、ＩＩＧ１、ＩＩＧ２、ＩＩＩＧ１、ＩＩＩＧ２）６ヶ所を設置する。ロングコースには３ルート各３ヶ所のゲート（ＩＧ１、ＩＧ２、ＩＧ３、ＩＩＧ１、ＩＩＧ２、ＩＩＧ３、ＩＩＩＧ１、ＩＩＩＧ２、ＩＩＩＧ３）９ヶ所を設置する。その他施設の状況に応じて、ゲート数の増減をし変化に富んだ競技施設の設定にするとよい。【００１３】  ゲートグラウンド（Ｇｇ）には砂場、池、川、小山、起伏、樹木等の障害物（Ｏ）を設け変化に富んだ構成としゲートコースのルートの選択を競技者個々の判断に委ねてコース攻略に持てる技術を駆使出来るような構成としている。又ゲート配置の構成では部分的に下記のゲートを設けるとよい。  （イ）、通過すれば一打得になるゲートを設定する（難易度の高いルート等）。ー１打  （ロ）、１打で復数ゲートの通過が可能なゲートを設定する。（ミドルコース、ロングコース等）  （ハ）、ゴロ打有利のゲートを設定する。  （ニ）、救済のゲートを設定する（砂場に入った時やゴールグラウンドオーバー等の時に１打得になるゲート）  ー１打  （ホ）、パスのルールを設ける（ゲートを通過せずにゲートをオーバーした時にゲート通過せずにゴールに向かって競技を進める。）  ＋２打【００１４】  ゲートの周辺にはボールが止まらないような構造とする（ゲートの周辺では、ゲートが障害になり、ボールが打てない。）【００１５】  ゴールグラウンドに設置するホールの実施例を示す。ホールは円筒形とし、大きさの基準は直径がホール中心に立てる目標の旗竿の直径＋競技用ボールの直径の２．５倍〜３．５倍程度とする。深さは地表面より同ー３．０倍〜４倍程度とする。【００１６】  この実施例では屋外の競技施設とし、コース全体のグラウンドは、障害物（Ｏ）を除き、自然芝と自然草木で構成されているが競技開始地点（ＳＬ）等の一部分では人工芝を使用するとよい。【００１７】  本発明のル−トボール競技施設の図１（ａ）のショートコースでの実施例を示す。  １チームの競技者はＡ、Ｂ、Ｃ、Ｄ、４名である。ショートコースであるのでゲート数は３ルート各１ヶ所の計３ヶ所  コースの基準打数は３である。４名が順番にスタートグラウンド（Ｓｇ）の競技開始地点（ＳＬ）より第１打を打つＡは中央ルートのゲート（ＩＩＧ１）を選び第１打で通過した。Ｂは左側、ルートのゲート（ＩＧ１）の通過を狙ったがゲートまで届かなかった。Ｃは右側ルートのゲート（ＩＩＩＧ１）に打ち込んで無事通過した。Ｄは中央ルートのゲート（ＩＩＧ１）を狙い遠くへ飛ばそうとしたがゲートをはずれてオーバーしてしまった。第２打は、ＡとＣはゴールグラウンドのホールに向かって打つのみである。Ｂはゲートを通過しなければならないのでゲート通過を狙うのみである。Ｄはゲートを通過せずにオーバーしたので、一担後方向に打って、ゲートを通過せねばならず、相当数の打数が必要と思われる。ここでＤは、救済措置として、パスのルールを使えば＋２打で、ゲートを通過しなくてもゴールグラウンド（ｇｇ）方向に打つことも出来る。Ａ、Ｃは第２打でゴールグラウンド（ｇｇ）に乗せて第３打にて共にホールインしたので、３打で上りとなる。Ｂは第２打でゲート（ＩＧ１）通過第３打で���ールグラウンド（ｇｇ）に乗せ、第４打でホールインしたので４打で上り、Ｄはゲート（ＩＩＧ１）を第３打で通過し第４打でゴールグラウンド（ｇｇ）に乗せ、第５打にてホールインしたので５打となる。またＤがゲート（ＩＩＧ１）を通過せずにパスしたとして第２打でゴールグラウンド（ｇｇ）に乗せ、第３打でホールインしたとする。ゲートの得点が＋２打加算するので、合計５打となり結果は同じとなる。  このコースの順位はＡとＣが３打でトップＢが４打で３位、Ｄが５打で４位となる。又、ギブアップの場合の打数は基準打数の２倍とするとよい。【００１８】  ゲートの実施例を示す、ゲートの形態は２本の棒状のものを一対として左右対称にゲートグラウンド上の地表面に垂直に建てる。これをゲートポールと呼ぶ、ゲートの構造は、ボールがゲートを通過した時に競技者の目視と共に、ボールの通過を他の競技者にも明確に告知する必要があるので下記の告知機能を備えた構造とするとよい。  イ、ライトの点灯で表示する。  ロ、音声で知らせる。  ハ、信号音で知らせる。  ニ、光で表示する。  ホ、上記の復合したもので知らせる等【００１９】  ゲートポールにはゲートを通過するボールを感知するセンサー機能装置とそれを知らせる為の告知機能装置を供え相互を中継する伝達機能装置を併せ持つ構造とする。例えばゲートポールＧｐ１で発信した信号（Ｚ）はゲートポールＧｐ２で、受信する。Ｇｐ１、Ｇｐ２の相互間を結ぶ信号（Ｚ）の間隔はボールの大きさの直径の０．９倍以下とすれば通過時にセンサー機能で感知することが出来る。それを告知機能装置に伝達することにより前記イ〜ホの告知方法で競技者に、知らせることが出来る。上記装置の動力源は乾電池、蓄電池、電力等とする。【００２０】  保護ポールは、競技者の打ったボールがゲートポールに当たる場合があるので、ゲートポールを防護する目的で設置する。単独柱型の場合には、諸機能を持つゲートポールを内部にその外部にカバーの保護ポールを設置する。ゲートポールと保護ポールの間には、衝撃が伝わらないように空間をとる。連続柱型の場合には、ゲートポールＧｐ１、Ｇｐ２の前後に２本づつ計４本の保護ポールを設置する。保護ポールが、ゲートポールの告知表示部位と重なる部分は、トーメイにするとよい。門型ゲートの場合も上記に準ずる。【００２１】  ゲートの寸法は内法寸法で巾６０ｃｍ〜１２０ｃｍ程度高さ９０ｃｍ〜１５０ｃｍ程度を基本とするも現場検証のうえ、難易度を検討し決定するのがよい。【００２２】  次に競技中の実施例を示す。  競技中に競技者の打ったボールが、ゲートポールＧｐ１とＧｐ２間を通過する時、ゲートのセンサー機能装置により、感知された信号は伝達機能装置を中継して、ゲートポールに設置した告知機能装置により競技者にボールがゲートを通過したことを知らせる。【００２３】  ゲートの種別に依る実施例を示す。  （イ）、センサー機能、伝達機能、告知機能等を備えたゲートで、図４（ａ）〜（ｃ）に示された上方が開放している形で、ゲートポールが単独柱型式のゲート。  （ロ）、同上、図５、（ａ）及び（ｂ）に示された上方が開放している形で保護ポールを備えた連続柱型式のゲート。  （ハ）、同上、図６、（ａ）〜（ｃ）に示された上方��閉鎖している門型のゲートで単独柱型式のゲート。  （ニ）、同上、図７、（ａ）及び（ｂ）に示された上方が閉鎖している門型のゲートで、保護ポールを備えた連続柱型式のゲート。  （ホ）、諸機能装置の無いゲートポールで図８（ａ）及び（ｂ）に示された上方が開放している単独柱型式の簡易ゲート。  （ヘ）、同上、図８、（Ｃ）及び（Ｄ）に示された上方が閉鎖している門型のゲート。  （ト）、上記に共通してゲートポール及び保護ポールの外環が回転する二重型式のゲート等。  （チ）、上記記載以外に現場検証のうえ本発明のル−トボ−ル競技に合致したゲートとするとよい。  又ゲートポールは、全て着脱式とし未使用時は取り外すとよい。【００２４】  本発明のル−トボ−ル競技用のボールの実施例を示す。ボールの構成は下記の通りとする。  （イ）、形状、球状とする。  （ロ）、大きさ、直径５ｃｍ〜７．５ｃｍ程度を基本とする。  （ハ）、重量、大きさや硬度等を参考とし競技者の身体に及ぼす影響等を考慮のうえ打器との調和の取れた重量とする。  （ニ）、材質、本発明のル−トボ−ル競技はボールの飛距離は抑制される構成の為に打器による強い打撃の必要がないので、弾力性を重視した構造とし身体に及ぼす負担を小さくして、競技中に他のプレイヤーや見学者に当たっても衝撃の少ないような構造とする。例えば、合成ゴム単体、合成ゴムと表面を強化カバーで覆ったもの、合成ゴムで内部が空洞のもの、芯が糸巻ボールで外部を合成ゴムで被ったもの等で、本発明のル−トボ−ル競技に供する目的で製造した専用のボールとする。  （ホ）、ボールには数種類の記号や番号を入れることで、競技者個々のボールが解り易いようにする。【００２５】  本発明のル−トボ−ル競技で使用する打器の実施例を示す。打器の構成は次の通りとする。  （イ）、種類、打器は５種類（一例としてウッド１、アイアン３、パター１等）計５本を基準とする。  （ロ）、重量、ル−トボ−ル競技用の専用のボールに合致したバランスのとれた重量とする。従来のゴルフクラブの重量の１倍〜１．５倍程度とするとよい。  （ハ）、形状と大きさ、競技用のボールが大きさで５ｃｍ〜７．５ｃｍ程度と大きく、重量では比較的に軽く形成され、弾力性に富んだ構造となっているので、打器の先端部分の形状は従来のゴルフクラブと比較してクラブヘッドが大きさで、１．５倍〜２倍程度としシャフトを含めた全体の長さは、ウッドにあっては９０ｃｍ〜１１０ｃｍ程度アイアン及びパターにあっては６０ｃｍ〜９０ｃｍ程度とするとよい。又ゲートを通過さす目的を満たす為の最適の形状を合せ持つ打器とする。  （ニ）、本発明のル−トボ−ル競技に使用する打器は上記の通りに構成するが、身体に及ぼす負担等を考慮し運動力学等で検証し、バランスのとれた構造のル−トボ−ル競技に供する目的で製造した専用の打器とする。【００２６】【発明の効果】  以上詳細に説明した様に本発明のル−トボ−ル競技施設を利用することにより以下に、列挙したいくつもの優れた効果を得ることができる。  （イ）、少ない時間で、競技場に出向き少ない費用で、競技が出来る。  （ロ）、体力よりも技術力（比較的難度の低い簡単な技術）に比重を置いた競技の方法とルールとなっており、競技中に（１ゲーム１���コース）グラウンドを歩く距離も従来のゴルフ競技の３分の１程度としたので、高齢者の体力でも充分に競技を楽しむことが出来る。又個々の体力に応じてゲームの量を選択することが出来るので、健康の維持増進に役立つ。  （ハ）、ゴルフでは、体力の面で負担が重い。ゲートボールでは物足りないという高齢者には上記の中間的な競技となる本発明のル−トボ−ル競技施設は、手頃なスポーツ＆娯楽の場となり得る。  （ニ）、この競技ではボールに対する強力な打撃は必要としない構成の為に使用するボールは、比較的軽くて、軟らかい弾力性ある材質の構造に出来るので競技者が打ったボールが他の競技者や見学者に当って負傷する様な事故は生じにくく老若男女が安心して楽しめる安全な競技となり得る。  （ホ）、安全優先のルールでゲームが楽しめる裾野の広い競技施設であり、身体にハンディの有る人でも競技に参加することが可能である。  （ヘ）、ロストボールが少なくなり経済的であり、競技にも集中出来、ボールを探す時間等少なくなるので、時間のロスも少なくなる。  （ト）、少人数で競技出来るし、個人でも参加することも出来るので気軽に競技施設に出掛けることができる。  （チ）、競技に要する時間は１ゲーム（１８コース）が１８０分程度、ハーフゲーム（９コース）が９０分程度で楽しめ充分満足感を得ることが出来る。  （リ）、年齢が高齢になっても競技が出来るので、生涯スポーツの一つとなり得る。  （ヌ）、競技施設の建設地は都市の近隣や居住地域の近隣の有体地を利用することが出来るので国土の有効利用にも役立つ。  （ル）、周辺の雇用を創出することになるので、産業的見地からも雇用の促進に貢献することが出来る。【図面の簡単な説明】【図１】  （ａ）は本発明の競技用施設に於ける１８コースの内、一つのショートコースの実施例を示した平面図。（ｂ）は同上ロングコースの実施例を示した平面図。（ｃ）は同上ミドルコースの実施例を示した平面図。【図２】  （ａ）は本発明のル−トボ−ル競技施設全体（１番コース〜１８番コース）の構成の実施例を示した概略平面図。（ｂ）は同上に示された施設（１番コース〜１８番コース）の各コースの種別、距離、ゲートの設置数、基準打数等全体構成の実施例を示した平面図。【図３】  （ａ）は本発明のル−トボ−ル競技に供する施設のショートコース（９コース）の実施例を示した概略平面図。（ｂ）は同上に示された施設（１番コース〜９番コース）の各々の距離、ゲートの設置数、基準打数等全体構成の実施例を示した平面図。【図４】  （ａ）はゲートグラウンド（Ｇｇ）に設置するゲートで上方が開放している形の単独柱型式のゲートの実施例を示した平面図。（ｂ）は同上立面図。（ｃ）は同上横断面図。（ｄ）は同上縦断面図。【図５】  （ａ）は上記のゲートの前後に保護ポールを設置して連続柱型式にした実施例を示した平面図。（ｂ）は同上立面図。【図６】  （ａ）はゲートグラウンドに設置するゲートで上方が閉鎖している形（門型）の、単独柱型式の実施例を示した平面図。（ｂ）は同上立面図。【図７】  （ａ）は上記の門型ゲートの前後に保護ポールを設置して連続柱型式にした実施例の平面図。（ｂ）は同上立面図。【図８】  （ａ）は上方開放型の簡易ゲートの平面図。（ｂ）は同上立面図。（ｃ）は上方閉鎖型の門型の簡易ゲートの平面図。（ｄ）は同上立面図。【図９】  本発明のル−トボ−ル競技に使用するスコアカードの実施例を示す平面図。スコアカードの成績欄には各コースの打数と、ゲート通過の得点を打数で計算した打数とを併記して記録する様にしてある。図中のＡ欄は、ゲート通過の得点（打数で表示）を記入する。Ｂ欄は、実打数を記入するようにしてある。【図１０】  （ａ）は本発明のル−トボ−ル競技の競技者の技量の差による格付けの実施例を示す平面図。（ｂ）は同上の競技者の年齢によるクラス分けの実施例を示した平面図。【符号の説明】                        Ｓｇ      スタートグラウンド                        ｇｇ      ゴールグラウンド                        Ｇｇ      ゲートグラウンド                        ＳＬ      スタートグラウンドの競技開始地点                          Ｈ      ゴールグラウンドのホールの位置ＩＧ１、ＩＩＧ１、ＩＩＩＧ１      ゲートグラウンド上の各ルートの１番目のゲートＩＧ２、ＩＩＧ２、ＩＩＩＧ２      ゲートグラウンド上の各ルートの２番目のゲートＩＧ３、ＩＩＧ３、ＩＩＩＧ３      ゲートグラウンド上の各ルートの３番目のゲート                          Ｏ      砂場、池、川、小山、起伏、樹木等の障害物                    １〜１８      １番コース〜１８番コース（コースの番号）                      Ｇｐ１      ゲートポール１                      Ｇｐ２      ゲートポール２                    ＳＥＮ１      センサー機能、告知機能、伝達機能装置１                    ＳＥＮ２      センサー機能、告知機能、伝達機能装置２                        ＰＰ      保護ポール                          Ｌ      ライト（電燈）                        ＳＶ      音声発生装置                          Ｚ      信号（電波、光線等）                        ＧＬ      地盤面                        ｇＰ      機能装置の無いゲートポール                          Ｅ      電線管                          Ｔ      ゲートポール取付用の受管                          Ａ      ゲート通過の得点を打数で表示する欄                          Ｂ      ホール入れまでの実打数を表示する欄